(57)【要約】【課題】情報の登録者と他の利用者との関係性に基づいて、情報の提供または当該情報への評価の受付の少なくとも一方を制御する情報提供システムを提供する。【解決手段】情報提供システム１０００は、登録情報を利用者端末装置２００、３００、４００のいずれかに提供する提供部１０４と、評価情報受付部１０６が当該登録情報への評価情報を受け付ける毎に、当該評価情報に評価を示される登録情報に関連付けた固有識別情報と、当該評価情報を送信した送信元に関する固有識別情報との関係性を示す関係情報を取得し、取得した関係情報を、受け付けた評価情報に基づいて変更し、変更した関係情報を変更前の関係情報に代えて固有識別情報記憶部に記憶させる関係情報変更部１０５と、記憶された関係情報に基づいて提供部１０４または評価情報受付部１０６の少なくとも一方を制御する制御部１０３と、を含む。【選択図】図１
2011028620.tif 000002
【特許請求の範囲】
【請求項１】
利用者端末装置と、
前記利用者端末装置と通信可能な情報提供装置と、を備え、
前記情報提供装置は、
異なる複数の固有識別情報のうち第１の固有識別情報と第２の固有識別情報との間の関係性を示す関係情報によって、前記第１の固有識別情報と前記第２の固有識別情報とを関連付けて記憶する固有識別情報記憶手段と、
前記利用者端末装置から登録情報を受け付ける登録情報受付手段と、
前記登録情報受付手段によって受け付けられた前記登録情報の送信元に関する前記固有識別情報を取得し、取得した前記固有識別情報と当該登録情報とを関連付けて登録する登録情報登録手段と、
前記登録情報登録手段によって登録された前記登録情報と前記固有識別情報とを記憶する登録情報記憶手段と、
前記登録情報記憶手段に記憶された前記登録情報の一部または全部を、前記利用者端末装置のいずれかに提供する提供手段と、
前記提供手段によって前記登録情報を提供された前記利用者端末装置から、当該登録情報への評価を示す評価情報を受け付ける評価情報受付手段と、
前記評価情報受付手段によって前記評価情報を受け付ける毎に、当該評価情報に評価を示される前記登録情報に関連付けた前記固有識別情報を前記登録情報記憶手段から取得し、取得した前記固有識別情報と、当該評価情報の送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更手段と、
前記固有識別情報記憶手段に記憶された前記関係情報に基づいて前記提供手段に前記登録情報を提供させる、または前記評価情報受付手段に前記評価情報を受け付けさせる制御手段と、
を含むことを特徴とする情報提供システム。
【請求項２】
請求項１に記載の情報提供システムであって、
前記情報提供装置は、
前記利用者端末装置から固有識別情報を受け付ける固有識別情報受付手段と、
前記固有識別情報受付手段によって新たに受け付けられた前記固有識別情報が、前記固有識別情報記憶手段に予め記憶された前記固有識別情報の全部と一致しないとき、予め記憶された前記固有識別情報の各々と、新たに受け付けられた前記固有識別情報との間に互いの関係性を示す関係情報を生成し、生成した前記関係情報に関係性を示される二つの前記固有識別情報を当該関係情報によって関連付けて前記固有識別情報記憶手段に記憶させる関係情報登録手段と、
を含むことを特徴とする情報提供システム。
【請求項３】
請求項１または２に記載の情報提供システムであって、
前記制御手段は、前記提供手段によって提供される前記登録情報に関連付けられた前記固有識別情報と、当該固有識別情報とは異なる他の固有識別情報と、を関連付けた前記関係情報が第１の条件を満たすとき、前記提供手段に当該登録情報を当該利用者端末装置へ提供させることを特徴とする情報提供システム。
【請求項４】
請求項３に記載の情報提供システムであって、
前記情報提供装置は、前記登録情報記憶手段に記憶された前記登録情報の一部または全部を要求する参照要求を、前記利用者端末装置から受け付ける参照要求受付手段を含み、
前記制御手段は、前記参照要求受付手段によって受け付けられた前記参照要求の送信元に関する前記固有識別情報を取得し、取得した前記固有識別情報と、当該参照要求が要求する前記登録情報に関連付けられた前記固有識別情報と、を関連付けた前記関係情報が前記第１の条件を満たすとき、前記提供手段に当該登録情報を当該利用者端末装置へ提供させることを特徴とする情報提供システム。
【請求項５】
請求項３または４に記載の情報提供システムであって、
前記制御手段は、前記登録情報の提供先に関する前記固有識別情報を取得し、取得した前記固有識別情報と、提供させた当該登録情報に関連付けられた前記固有識別情報と、を関連付けた前記関係情報が第２の条件を満たすとき、当該登録情報への前記評価情報を当該利用者端末装置から受付可能に前記評価情報受付手段を制御することを特徴とする情報提供システム。
【請求項６】
請求項５に記載の情報提供システムであって、
前記情報提供装置は、前記提供手段によって提供される前記登録情報への評価を示す前記評価情報に関する統計値を算出する統計値算出手段を含み、
前記制御手段は、前記統計値算出手段によって算出された前記統計値に応じて前記第１の条件を決定することを特徴とする情報提供システム。
【請求項７】
請求項６に記載の情報提供システムであって、
前記情報提供装置は、前記評価情報受付手段によって受け付けられた前記評価情報の送信元に関する前記固有識別情報を、当該評価情報に評価される前記登録情報に付加し前記登録情報記憶手段に記憶させる固有識別情報付加手段を含み、
前記制御手段は、前記提供手段によって提供される前記登録情報に関連付けられた前記固有識別情報のいずれかと、当該固有識別情報とは異なる他の固有識別情報と、を関連付けた前記関係情報が前記第１の条件を満たすとき、前記提供手段に当該登録情報を当該利用者端末装置へ提供させることを特徴とする情報提供システム。
【請求項８】
請求項７に記載の情報提供システムであって、
前記評価情報は、前記登録情報への肯定を示す肯定情報と前記登録情報への否定を示す否定情報とのいずれかであり、
前記第１の条件は、前記関係情報が第１の関係度より強いことであり、
前記関係情報変更手段は、前記評価情報受付手段によって前記肯定情報を受け付ける毎に、当該肯定情報に評価される前記登録情報に関連付けた前記固有識別情報と、当該肯定情報の送信元に関する前記固有識別情報との間の前記関係情報を強くすることを特徴とする情報提供システム。
【請求項９】
請求項８に記載の情報提供システムであって、
前記関係情報変更手段は、前記評価情報受付手段によって前記否定情報を受け付ける毎に、当該否定情報に評価される前記登録情報に関連付けた前記固有識別情報と、当該否定情報の送信元に関する前記固有識別情報との間の前記関係情報を弱くすることを特徴とする情報提供システム。
【請求項１０】
請求項８または９に記載の情報提供システムであって、
前記第２の条件は、前記関係情報が前記第１の関係度以上の強さを示す第２の関係度より強いことであることを特徴とする情報提供システム。
【請求項１１】
請求項８乃至１０いずれかに記載の情報提供システムであって、
前記統計値算出手段は、前記提供手段によって提供される前記登録情報への前記評価情報のうち、前記肯定情報の総数を前記統計値として算出し、
前記制御手段は、算出された前記肯定情報の総数が大きくなるほど前記第１の関係度を弱くすることを特徴とする情報提供システム。
【請求項１２】
請求項１１に記載の情報提供システムであって、
前記統計値算出手段は、前記提供手段によって提供される前記登録情報への前記評価情報のうち、前記否定情報の総数を前記統計値として算出し、
前記制御手段は、算出された前記否定情報の総数が大きくなるほど前記第１の関係度を強くすることを特徴とする情報提供システム。
【請求項１３】
請求項８乃至１２いずれかに記載の情報提供システムであって、
前記登録情報受付手段によって受け付けられた前記登録情報と、前記登録情報記憶手段に記憶された前記登録情報との比較判定を行う比較手段を含み、
前記比較手段による前記比較判定の結果が一致したとき、前記固有識別情報付加手段は、一致した前記登録情報に、前記登録情報の送信元に関する前記固有識別情報を付加し前記登録情報記憶手段に記憶させることを特徴とする情報提供システム。
【請求項１４】
請求項６または７に記載の情報提供システムであって、
前記第１の条件が、前記関係情報が第３の関係度より強いことであり、
前記関係情報変更手段は、前記評価情報受付手段によって前記評価情報を受け付ける毎に、当該評価情報に評価される前記登録情報に関連付けた前記固有識別情報と、当該評価情報の送信元に関する前記固有識別情報との間の前記関係情報を強くすることを特徴とする情報提供システム。
【請求項１５】
請求項１４に記載の情報提供システムであって、
前記第２の条件は、前記関係情報が前記第３の関係度以上の強さを示す第４の関係度より強いことであることを特徴とする情報提供システム。
【請求項１６】
請求項１４または１５に記載の情報提供システムであって、
前記統計値算出手段は、前記提供手段によって提供される前記登録情報への前記評価情報の総数を前記統計値として算出し、
前記制御手段は、算出された前記評価情報の総数が大きくなるほど前記第３の関係度を弱くすることを特徴とする情報提供システム。
【請求項１７】
異なる複数の固有識別情報のうち第１の固有識別情報と第２の固有識別情報との間の関係性を示す関係情報によって、前記第１の固有識別情報と前記第２の固有識別情報とを関連付けて記憶する固有識別情報記憶手段と、
前記利用者端末装置から登録情報を受け付ける登録情報受付手段と、
前記登録情報受付手段によって受け付けられた前記登録情報の送信元に関する前記固有識別情報を取得し、取得した前記固有識別情報と当該登録情報とを関連付けて登録する登録情報登録手段と、
前記登録情報登録手段によって登録された前記登録情報と前記固有識別情報とを記憶する登録情報記憶手段と、
前記登録情報記憶手段に記憶された前記登録情報の一部または全部を、前記利用者端末装置のいずれかに提供する提供手段と、
前記提供手段によって前記登録情報を提供された前記利用者端末装置から、当該登録情報への評価を示す評価情報を受け付ける評価情報受付手段と、
前記評価情報受付手段によって前記評価情報を受け付ける毎に、当該評価情報に評価を示される前記登録情報に関連付けた前記固有識別情報を前記登録情報記憶手段から取得し、取得した前記固有識別情報と、当該評価情報の送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更手段と、
前記固有識別情報記憶手段に記憶された前記関係情報に基づいて前記提供手段に前記登録情報を提供させる、または前記評価情報受付手段に前記評価情報を受け付けさせる制御手段と、
を備えることを特徴とする情報提供装置。
【請求項１８】
異なる複数の固有識別情報のうち第１の固有識別情報と第２の固有識別情報との間の関係性を示す関係情報によって、前記第１の固有識別情報と前記第２の固有識別情報とを関連付けて固有識別情報記憶手段に記憶させる関係情報登録ステップと、
利用者端末装置から登録情報を受け付ける登録情報受付ステップと、
前記登録情報受付ステップで受け付けられた前記登録情報の送信元に関する前記固有識別情報を取得し、取得した前記固有識別情報と当該登録情報とを関連付けて登録し、登録情報記憶手段に記憶させる登録情報登録ステップと、
前記登録情報記憶手段に記憶された前記登録情報の一部または全部を、前記利用者端末装置のいずれかに提供する提供ステップと、
前記提供ステップで前記登録情報を提供された前記利用者端末装置から、当該登録情報への評価を示す評価情報を受け付ける評価情報受付ステップと、
前記評価情報受付ステップで前記評価情報を受け付ける毎に、当該評価情報に評価を示される前記登録情報に関連付けた前記固有識別情報を前記登録情報記憶手段から取得し、取得した前記固有識別情報と、当該評価情報を送信した送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更ステップと、を備え、
更に、前記固有識別情報記憶手段に記憶された前記関係情報に基づいて前記提供ステップを実行するか否かを判定する第１関係判定ステップ、または前記固有識別情報記憶手段に記憶された前記関係情報に基づいて前記評価情報受付ステップを実行するか否かを判定する第２関係判定ステップ、の少なくとも一方を備えることを特徴とする情報提供方法。
【請求項１９】
請求項１８に記載の情報提供方法であって、
利用者端末装置から固有識別情報を受け付ける固有識別情報受付ステップを備え、
前記関係情報登録ステップでは、
前記固有識別情報受付ステップで新たに受け付けられた前記固有識別情報が、前記固有識別情報記憶手段に予め記憶された前記固有識別情報の全部と一致しないとき、予め記憶された前記固有識別情報の各々と、新たに受け付けられた前記固有識別情報との間に互いの関係性を示す関係情報を生成し、生成した前記関係情報に関係性を示される二つの前記固有識別情報を当該関係情報によって関連付けて前記固有識別情報記憶手段に記憶させることを特徴とする情報提供方法。
【請求項２０】
請求項１８または１９に記載の情報提供方法であって、
前記第１関係判定ステップでは、前記提供ステップで提供される前記登録情報に関連付けられた前記固有識別情報と、当該固有識別情報とは異なる他の固有識別情報と、を関連付けた前記関係情報が第１の条件を満たすか否かを判定し、
前記第１の条件を満たすとき、前記提供ステップを実行することを特徴とする情報提供方法。
【請求項２１】
請求項２０に記載の情報提供方法であって、
前記登録情報記憶手段に記憶された前記登録情報の一部または全部を要求する参照要求を、前記利用者端末装置から受け付ける参照要求受付ステップを備え、
前記第１関係判定ステップでは、前記参照要求受付ステップで受け付けられた前記参照要求を送信した送信元に関する前記固有識別情報を取得し、取得した前記固有識別情報と、当該参照要求が要求する前記登録情報に関連付けられた前記固有識別情報と、を関連付けた前記関係情報が前記第１の条件を満たすか否かを判定することを特徴とする情報提供方法。
【請求項２２】
請求項２０または２１に記載の情報提供方法であって、
前記第２関係判定ステップでは、前記提供ステップで前記登録情報を提供された提供先に関する前記固有識別情報を取得し、取得した前記固有識別情報と、提供させた当該登録情報に関連付けられた前記固有識別情報と、を関連付けた前記関係情報が第２の条件を満たすか否かを判定し、
前記第２の条件を満たすとき、前記評価情報受付ステップを実行することを特徴とする情報提供方法。
【請求項２３】
請求項２０乃至２２いずれかに記載の情報提供方法であって、
前記提供ステップで提供する前記登録情報への評価を示す前記評価情報に関する統計値を算出する統計値算出ステップと、
前記統計値算出ステップで算出された前記統計値に応じて前記第１の条件を決定する条件決定ステップと、を備え、
前記第１関係判定ステップは、前記条件決定ステップで決定された前記第１の条件を用いて判定することを特徴とする情報提供方法。
【請求項２４】
請求項２３に記載の情報提供方法であって、
前記評価情報受付ステップで受け付けられた前記評価情報を送信した送信元に関する前記固有識別情報を、当該評価情報に評価される前記登録情報に付加し前記登録情報記憶手段に記憶させる固有識別情報付加ステップを備え、
前記第１関係判定ステップでは、前記提供ステップで提供される前記登録情報に関連付けられた前記固有識別情報のいずれかと、当該固有識別情報と異なる他の固有識別情報と、を関連付けた前記関係情報が前記第１の条件を満たすか否か判定することを特徴とする情報提供方法。
【請求項２５】
請求項２４に記載の情報提供方法であって、
前記評価情報は、前記登録情報への肯定を示す肯定情報と前記登録情報への否定を示す否定情報とのいずれかであり、
前記第１の条件は、前記関係情報が第１の関係度より強いことであり、
前記関係情報変更ステップでは、前記評価情報受付ステップで前記肯定情報を受け付ける毎に、当該肯定情報に評価される前記登録情報に関連付けた前記固有識別情報と、当該肯定情報を送信した送信元に関する前記固有識別情報との間の前記関係情報を強くすることを特徴とする情報提供方法。
【請求項２６】
請求項２５に記載の情報提供方法であって、
前記関係情報変更ステップでは、前記評価情報受付ステップで前記否定情報を受け付ける毎に、当該否定情報に評価される前記登録情報に関連付けた前記固有識別情報と、当該否定情報を送信した送信元に関する前記固有識別情報との間の前記関係情報を弱くすることを特徴とする情報提供方法。
【請求項２７】
請求項２５または２６に記載の情報提供方法であって、
前記登録情報受付ステップで受け付けられた前記登録情報と、前記登録情報記憶手段に記憶された前記登録情報との比較判定を行う比較ステップを備え、
前記比較ステップで前記比較判定の結果が一致したとき、前記固有識別情報付加ステップでは、一致した前記登録情報に、前記登録情報を送信した送信元に関する前記固有識別情報を付加し前記登録情報記憶手段に記憶させることを特徴とする情報提供方法。
【請求項２８】
請求項２３または２４に記載の情報提供方法であって、
前記第１の条件は、前記関係情報が第３の関係度より強いことであり、
前記関係情報変更ステップでは、前記評価情報受付ステップで前記評価情報を受け付ける毎に、当該評価情報に評価される前記登録情報に関連付けた前記固有識別情報と、当該評価情報を送信した送信元に関する前記固有識別情報との間の前記関係情報を強くすることを特徴とする情報提供方法。
【請求項２９】
コンピュータが読み出し可能な記憶媒体に格納されるプログラムであって、
異なる複数の固有識別情報のうち第１の固有識別情報と第２の固有識別情報との間の関係性を示す関係情報によって、前記第１の固有識別情報と前記第２の固有識別情報とを関連付けて固有識別情報記憶手段に記憶させる関係情報登録処理と、
利用者端末装置から登録情報を受け付ける登録情報受付処理と、
前記登録情報受付処理で受け付けられた前記登録情報の送信元に関する前記固有識別情報を取得し、取得した前記固有識別情報と当該登録情報とを関連付けて登録し、登録情報記憶手段に記憶させる登録情報登録処理と、
前記登録情報記憶手段に記憶された前記登録情報の一部または全部を、前記利用者端末装置のいずれかに提供する提供処理と、
前記提供処理で前記登録情報を提供された前記利用者端末装置から、当該登録情報への評価を示す評価情報を受け付ける評価情報受付処理と、
前記評価情報受付処理で前記評価情報を受け付ける毎に、当該評価情報に評価を示される前記登録情報に関連付けた前記固有識別情報を前記登録情報記憶手段から取得し、取得した前記固有識別情報と、当該評価情報を送信した送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更処理と、を前記コンピュータに実行させ、
更に、前記固有識別情報記憶手段に記憶された前記関係情報に基づいて前記提供処理を実行するか否かを判定する第１関係判定処理、または前記固有識別情報記憶手段に記憶された前記関係情報に基づいて前記評価情報受付処理を実行するか否かを判定する第２関係判定処理、の少なくとも一方を前記コンピュータに実行させることを特徴とするプログラム。
【発明の詳細な説明】
【技術分野】
【０００１】
本発明は、情報提供システムに関する。また情報提供システムに適用される情報提供方法、情報提供装置およびプログラムに関する。
【背景技術】
【０００２】
現在、ユーザから登録された推薦情報を提供するサービスが増加している。この種の技術として特許文献１のような方法が提案されている。
【０００３】
特許文献１（特開２００４−３２６６３４号公報）には次のような技術が記載されている。この技術は、商品やサービスに対する評価情報と、ユーザが信頼する他のユーザから評価情報を収集し、ユーザ間の信頼度を商品のお薦め度に反映させることができる。
【先行技術文献】
【特許文献】
【０００４】
【特許文献１】特開２００４−３２６６３４号公報
【発明の概要】
【発明が解決しようとする課題】
【０００５】
しかしながら上記技術は、以下の点で問題点を有していた。すなわち、ユーザには、評価することに積極的なユーザと、評価することに消極的なユーザとがいるにも関わらず、それを考慮せずに一方的に評価者を選択するので、公平な評価が難しかった。
【０００６】
また、商品やサービスを評価するユーザを人為的に選択するので、少数のユーザによって恣意的な評価が行われると虚偽の推薦情報が公開される恐れがある。  
【０００７】
本発明は上記事情に鑑みてなされたものであり、その目的とするところは、情報の登録者と他の利用者との関係性に基づいて、情報の提供または当該情報への評価の受付の少なくとも一方を制御する情報提供システム、情報提供装置、情報提供方法およびそのプログラムを提供することにある。また、他の目的としては、利用者間の悪意の結託を防ぐ情報提供システム、情報提供装置、情報提供方法およびそのプログラムを提供することにある。
【課題を解決するための手段】
【０００８】
本発明によれば、利用者端末装置と、前記利用者端末装置と通信可能な情報提供装置と、を備え、前記情報提供装置は、異なる複数の固有識別情報のうち第１の固有識別情報と第２の固有識別情報との間の関係性を示す関係情報によって、前記第１の固有識別情報と前記第２の固有識別情報とを関連付けて記憶する固有識別情報記憶手段と、前記利用者端末装置から登録情報を受け付ける登録情報受付手段と、前記登録情報受付手段によって受け付けられた前記登録情報の送信元に関する前記固有識別情報を取得し、取得した前記固有識別情報と当該登録情報とを関連付けて登録する登録情報登録手段と、前記登録情報登録手段によって登録された前記登録情報と前記固有識別情報とを記憶する登録情報記憶手段と、前記登録情報記憶手段に記憶された前記登録情報の一部または全部を、前記利用者端末装置のいずれかに提供する提供手段と、前記提供手段によって前記登録情報を提供された前記利用者端末装置から、当該登録情報への評価を示す評価情報を受け付ける評価情報受付手段と、前記評価情報受付手段によって前記評価情報を受け付ける毎に、当該評価情報に評価を示される前記登録情報に関連付けた前記固有識別情報を前記登録情報記憶手段から取得し、取得した前記固有識別情報と、当該評価情報の送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更手段と、前記固有識別情報記憶手段に記憶された前記関係情報に基づいて前記提供手段に前記登録情報を提供させる、または前記評価情報受付手段に前記評価情報を受け付けさせる制御手段と、を含むことを特徴とする情報提供システムが提供される。
【０００９】
また、本発明によれば、異なる複数の固有識別情報のうち第１の固有識別情報と第２の固有識別情報との間の関係性を示す関係情報によって、前記第１の固有識別情報と前記第２の固有識別情報とを関連付けて記憶する固有識別情報記憶手段と、前記利用者端末装置から登録情報を受け付ける登録情報受付手段と、前記登録情報受付手段によって受け付けられた前記登録情報の送信元に関する前記固有識別情報を取得し、取得した前記固有識別情報と当該登録情報とを関連付けて登録する登録情報登録手段と、前記登録情報登録手段によって登録された前記登録情報と前記固有識別情報とを記憶する登録情報記憶手段と、前記登録情報記憶手段に記憶された前記登録情報の一部または全部を、前記利用者端末装置のいずれかに提供する提供手段と、前記提供手段によって前記登録情報を提供された前記利用者端末装置から、当該登録情報への評価を示す評価情報を受け付ける評価情報受付手段と、前記評価情報受付手段によって前記評価情報を受け付ける毎に、当該評価情報に評価を示される前記登録情報に関連付けた前記固有識別情報を前記登録情報記憶手段から取得し、取得した前記固有識別情報と、当該評価情報の送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更手段と、前記固有識別情報記憶手段に記憶された前記関係情報に基づいて前記提供手段に前記登録情報を提供させる、または前記評価情報受付手段に前記評価情報を受け付けさせる制御手段と、を備えることを特徴とする情報提供装置が提供される。
【００１０】
さらに、本発明によれば、異なる複数の固有識別情報のうち第１の固有識別情報と第２の固有識別情報との間の関係性を示す関係情報によって、前記第１の固有識別情報と前記第２の固有識別情報とを関連付けて固有識別情報記憶手段に記憶させる関係情報登録ステップと、利用者端末装置から登録情報を受け付ける登録情報受付ステップと、前記登録情報受付ステップで受け付けられた前記登録情報の送信元に関する前記固有識別情報を取得し、取得した前記固有識別情報と当該登録情報とを関連付けて登録し、登録情報記憶手段に記憶させる登録情報登録ステップと、前記登録情報記憶手段に記憶された前記登録情報の一部または全部を、前記利用者端末装置のいずれかに提供する提供ステップと、前記提供ステップで前記登録情報を提供された前記利用者端末装置から、当該登録情報への評価を示す評価情報を受け付ける評価情報受付ステップと、前記評価情報受付ステップで前記評価情報を受け付ける毎に、当該評価情報に評価を示される前記登録情報に関連付けた前記固有識別情報を前記登録情報記憶手段から取得し、取得した前記固有識別情報と、当該評価情報を送信した送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更ステップと、を備え、更に、前記固有識別情報記憶手段に記憶された前記関係情報に基づいて前記提供ステップを実行するか否かを判定する第１関係判定ステップ、または前記固有識別情報記憶手段に記憶された前記関係情報に基づいて前記評価情報受付ステップを実行するか否かを判定する第２関係判定ステップ、の少なくとも一方を備えることを特徴とする情報提供方法が提供される。
【００１１】
さらに、本発明によれば、コンピュータが読み出し可能な記憶媒体に格納されるプログラムであって、異なる複数の固有識別情報のうち第１の固有識別情報と第２の固有識別情報との間の関係性を示す関係情報によって、前記第１の固有識別情報と前記第２の固有識別情報とを関連付けて固有識別情報記憶手段に記憶させる関係情報登録処理と、利用者端末装置から登録情報を受け付ける登録情報受付処理と、前記登録情報受付処理で受け付けられた前記登録情報の送信元に関する前記固有識別情報を取得し、取得した前記固有識別情報と当該登録情報とを関連付けて登録し、登録情報記憶手段に記憶させる登録情報登録処理と、前記登録情報記憶手段に記憶された前記登録情報の一部または全部を、前記利用者端末装置のいずれかに提供する提供処理と、前記提供処理で前記登録情報を提供された前記利用者端末装置から、当該登録情報への評価を示す評価情報を受け付ける評価情報受付処理と、前記評価情報受付処理で前記評価情報を受け付ける毎に、当該評価情報に評価を示される前記登録情報に関連付けた前記固有識別情報を前記登録情報記憶手段から取得し、取得した前記固有識別情報と、当該評価情報を送信した送信元に関する前記固有識別情報との関係性を示す前記関係情報を前記固有識別情報記憶手段から取得し、取得した前記関係情報を、受け付けた前記評価情報に基づいて変更し、変更した前記関係情報を変更前の前記関係情報に代えて前記固有識別情報記憶手段に記憶させる関係情報変更処理と、を前記コンピュータに実行させ、更に、前記固有識別情報記憶手段に記憶された前記関係情報に基づいて前記提供処理を実行するか否かを判定する第１関係判定処理、または前記固有識別情報記憶手段に記憶された前記関係情報に基づいて前記評価情報受付処理を実行するか否かを判定する第２関係判定処理、の少なくとも一方を前記コンピュータに実行させることを特徴とするプログラムが提供される。
【発明の効果】
【００１２】
本発明によれば、情報の登録者と他の利用者との関係性に基づいて、情報の提供または当該情報への評価の受付の少なくとも一方を制御する情報提供システム、情報提供装置、情報提供方法およびそのプログラムが提供される。また、本発明によれば、利用者間の悪意の結託を防ぐ情報提供システム、情報提供装置、情報提供方法およびそのプログラムが提供される。
【図面の簡単な説明】
【００１３】
【図１】本発明の第１の実施形態に係る情報提供システムの構成図である。
【図２】第１の実施形態の固有識別情報記憶部に記憶されるデータテーブルの一例である。
【図３】第１の実施形態の登録情報記憶部に記憶されるデータテーブルの一例である。
【図４】第１の実施形態の固有識別情報記憶部に固有識別情報を登録する処理のフローチャートである。
【図５】第１の実施形態の情報提供システムにおける情報提供方法を示すフローチャートである。
【図６】本発明の第２の実施形態に係る情報提供システムの構成図である。
【図７】第２の実施形態の登録情報記憶部に登録情報を登録する処理のフローチャートである。
【図８】第２の実施形態の固有識別情報記憶部に記憶されるデータテーブルの一例である。
【図９】第２の実施形態の登録情報記憶部に記憶されるデータテーブルの一例である。
【図１０】第２の実施形態の情報提供システムにおける情報提供方法を示すフローチャートである。
【発明を実施するための形態】
【００１４】
以下、本発明の実施の形態について、図面を用いて説明する。尚、すべての図面において、同様な構成要素には同様の符号を付し、適宜説明を省略する。
【００１５】
図１は、本発明の第１の実施形態に係る情報提供システム１０００の構成図である。情報提供システム１０００は、利用者端末装置２００、利用者端末装置３００および利用者端末装置４００を備える。また、上述した利用者端末装置と通信可能な情報提供装置１００を備える。情報提供装置１００は、登録情報記憶部１０１、固有識別情報記憶部１０２、制御部１０３、提供部１０４、関係情報変更部１０５、評価情報受付部１０６、関係情報登録部１０７、固有識別情報受付部１０８、登録情報登録部１０９および登録情報受付部１１０を含む。
【００１６】
本実施形態において、ネットワーク５００はインターネットであることが好適である。また、利用者端末装置２００、利用者端末装置３００または利用者端末装置４００は、インターネット接続が可能な装置、例えばパーソナルコンピュータ、携帯電話機またはＰＨＳ等である。ここで挙げた事例は一例であり、本発明が適用されるシステムに応じて、ネットワークはＬＡＮや公衆電話網等であってもよく、利用者端末装置はネットワークを介して通信可能な装置である。
【００１７】
本実施形態の情報提供装置１００は、利用者端末装置のいずれかから登録情報を受け付け登録情報記憶部１０１に登録すると、登録された登録情報を他の利用者端末装置の一部または全部に一斉配信することができる。
【００１８】
続いて、情報提供装置１００に含まれる構成要素それぞれについて、詳細に説明する。固有識別情報受付部１０８は、利用者端末装置から固有識別情報を受け付ける。なお、ここで固有識別情報とは、利用者端末装置または利用者端末装置の利用者を識別可能な情報であればいずれでもよい。例えば、利用者端末装置に割り当てられた製造番号やＩＰアドレス等であってもよく、利用者端末装置を利用する利用者のＩＤ、専用のパスワードまたは個人情報（名前、電話番号、メールアドレス等）であってもよい。また、ここに挙げた種々の情報を組み合わせたものであってもよい。
【００１９】
関係情報登録部１０７は、固有識別情報受付部１０８によって新たに受け付けられた固有識別情報が、固有識別情報記憶部１０２に予め記憶された固有識別情報の全部と一致しないとき、予め記憶された固有識別情報の各々と、新たに受け付けられた固有識別情報との間に互いの関係性を示す関係情報を生成し、生成した関係情報に関係性を示される二つの固有識別情報を当該関係情報によって関連付けて固有識別情報記憶部１０２に記憶させる。関係情報登録部によって新たに生成される関係情報には、予め定められた初期値が与えられる。上記初期値は、デフォルトで定められた固定値であってもよいし、情報提供システムの運用者によって適宜設定可能な可変値であってもよい。
【００２０】
固有識別情報記憶部１０２は、異なる複数の固有識別情報のうち第１の固有識別情報と第２の固有識別情報との間の関係性を示す関係情報によって、第１の固有識別情報と第２の固有識別情報とを関連付けて記憶する。なお、関係情報は、利用者端末装置間の関係性を数値の大小で示し、本実施形態においては関係情報の値が小さいほど固有識別情報間の関係性は強く、関係情報の値が大きいほど固有識別情報間の関係性は弱いものとする。
【００２１】
なお、固有識別情報記憶部１０２に記憶される固有識別情報と関係情報は、関係情報登録部１０７によって登録されたものだけに限らなくてもよい。例えば、他のシステムで用いられる同等の固有識別情報と関係情報が存在するのであれば、それを固有識別情報記憶部１０２に記憶させてもよい。
【００２２】
図２は、固有識別情報記憶部１０２に記憶されるデータテーブルの一例である。ここでは仮に三つの利用者端末装置のそれぞれに一つずつ固有識別情報が割り当てられたものとする。図２において、利用者端末装置２００、利用者端末装置３００および利用者端末装置４００に割り当てられた固有識別情報はそれぞれＵＥ２００、ＵＥ３００およびＵＥ４００と表記する。また、「―」の表記は空欄を示す。
【００２３】
図２において関係情報は六種類が表記されているが、ＵＥ２００−ＵＥ３００間の関係情報およびＵＥ３００−ＵＥ２００間の関係情報、ＵＥ３００−ＵＥ４００間の関係情報およびＵＥ４００−ＵＥ３００間の関係情報、ＵＥ４００−ＵＥ２００間の関係情報およびＵＥ２００−ＵＥ４００間の関係情報、はそれぞれ等しく、実質的には三種類となる。
【００２４】
図２において、最も関係性の強い関係情報はＵＥ３００−ＵＥ４００間の関係情報であり、最も関係性の弱い関係情報はＵＥ２００−ＵＥ３００間の関係情報である。
【００２５】
なお、本実施形態とは異なって固有識別情報が利用者のＩＤ等、利用者ごとに割り当てられる場合、固有識別情報記憶部１０２に記憶される固有識別情報の数は、情報提供システム１０００の利用者の数と等しくなる。
【００２６】
登録情報受付部１１０は、利用者端末装置２００、利用者端末装置３００または利用者端末装置４００のいずれかから登録情報を受け付ける。本実施形態において登録情報とは、飲食店等の推薦情報とする。ただし、これは一例であって、本発明において登録情報の内容は特に制限されない。例えば、商品（音楽、ゲーム、本等）やサービス（映画、学校、塾、病院等）の推薦情報を、本発明の登録情報として扱ってもよい。
【００２７】
登録情報登録部１０９は、登録情報受付部１１０によって受け付けられた登録情報を送信した送信元に関する固有識別情報を取得し、取得した固有識別情報と当該登録情報とを関連付けて登録する。なお、登録情報登録部１０９は、直接登録情報を送信した利用者端末装置から固有識別情報を取得してもよい。また、登録情報受付部１１０が登録情報を受け付けるとともに、当該登録情報を送信した利用者端末装置から固有識別情報を受け付け、登録情報登録部１０９は、登録情報受付部１１０が受け付けた固有識別情報を用いてもよい。あるいは、固有識別情報受付部１０８が受け付けた固有識別情報と、登録情報を送信した利用者端末装置の固有識別情報とが等しい場合、登録情報登録部１０９は、固有識別情報受付部１０８が受け付けた固有識別情報を取得してもよい
【００２８】
登録情報記憶部１０１は、登録情報登録部１０９によって登録された登録情報と固有識別情報とを記憶する。ここで、登録情報記憶部１０１に記憶される登録情報および固有識別情報の保持期間は、特に定められない半永久的な期間であってもよいし、特定の一時的な期間であってもよい。
【００２９】
図３は、登録情報記憶部１０１に記憶されるデータテーブルの一例である。登録情報には、「店名」「カテゴリ」「位置」「連絡先」が含まれ、それぞれを送信した利用者端末装置の固有識別情報が関連付けられている。なお、図３において「位置」は経度、緯度を示す情報であって、「連絡先」は店の電話番号である。ただし、図３では図示しないが、「位置」としてはその店の住所や最寄駅等が含まれてもよいし、「連絡先」としては電子メールのアドレスやウェブサイトのアドレス等が含まれてもよい。
【００３０】
提供部１０４は、登録情報記憶部１０１に記憶された登録情報の一部または全部を、利用者端末装置２００、利用者端末装置３００または利用者端末装置４００のいずれかに提供する。なお、提供部１０４が登録情報を利用者端末装置に提供する場合、当該登録情報を表示出力可能なデータ形式で出力してもよいし、印刷出力可能なデータ形式で出力してもよいし、音声出力可能なデータ形式で出力してもよいし、特定のアプリケーションが処理可能なデータ形式で出力してもよい。
【００３１】
評価情報受付部１０６は、提供部１０４によって登録情報を提供された利用者端末装置から、当該登録情報への評価を示す評価情報を受け付ける。なお、本実施形態において評価情報は、登録情報が示す飲食店の推薦情報へのコメントであって、例えば「おいしかった」「店の雰囲気が良かった」等である。また、評価情報受付部１０６が受け付けた評価情報は、対応する登録情報に関連付けて登録情報記憶部１０１に記憶されてもよいし、他の記憶媒体に記憶されてもよい。
【００３２】
関係情報変更部１０５は、評価情報受付部１０６によって評価情報を受け付ける毎に、当該評価情報に評価を示される登録情報に関連付けた固有識別情報を登録情報記憶部１０１から取得し、取得した固有識別情報と、当該評価情報を送信した送信元に関する固有識別情報との関係性を示す関係情報を固有識別情報記憶部１０２から取得し、取得した関係情報を、受け付けた評価情報に基づいて変更し、変更した関係情報を変更前の関係情報に代えて固有識別情報記憶部１０２に記憶させる。より詳細には、関係情報変更部１０５は、評価情報受付部１０６によって評価情報を受け付ける毎に、取得した関係情報の値を小さく（関係情報を強く）する。なお、関係情報変更部１０５の処理は、関係情報に対する加算処理または減算処理であってもよいし、乗算処理または除算処理であってもよいし、複数の演算処理の組み合わせであってもよい。
【００３３】
ここで、関係情報変更部１０５は、変更された関係情報を固有識別情報記憶部１０２に記憶させるとき、変更前の関係情報を書き換えてもよいし、変更前の関係情報を残してもよい。ただし、この後で固有識別情報記憶部１０２から関係情報を取得するとき、変更後の関係情報が取得されるものとする。
【００３４】
また、固有識別情報記憶部１０２に記憶された関係情報は、公開しないことが望ましい。これにより、関係情報の秘匿性が高くなり、恣意的に登録情報の評価を操作することを防ぐことができ、提供する登録情報の信頼性を向上することができる。
【００３５】
制御部１０３は、固有識別情報記憶部１０２に記憶された関係情報に基づいて提供部１０４に登録情報を提供させる、または評価情報受付部１０６に評価情報を受け付けさせる。
【００３６】
より詳細には、制御部１０３は、登録情報を送信した利用者端末装置の固有識別情報（登録情報登録部１０９が取得した固有識別情報）に関連付けられ、かつ閾値Ｖ１未満の関係情報によって関連付けられている固有識別情報を固有識別情報記憶部１０２から取得する。そして、制御部１０３は、提供部１０４を制御し、取得した固有識別情報に対応する利用者端末装置へ、登録情報登録部１０９が登録した登録情報を提供させる。なお、閾値Ｖ１は、デフォルトの固定値であってもよいし、情報提供システム１０００の運用者によって適宜設定可能な可変値であってもよい。
【００３７】
また、制御部１０３は、提供部１０４に登録情報を提供させた利用者端末装置の固有識別情報のうち、閾値Ｖ２未満の関係情報によって関連付けられている固有識別情報を固有識別情報記憶部１０２から取得する。そして、制御部１０３は、評価情報受付部１０６を制御し、取得した固有識別情報に対応する利用者端末装置からの評価情報を受け付け可能にさせる。なお、閾値Ｖ２は、閾値Ｖ１と同様に、デフォルトの固定値であってもよいし、情報提供システム１０００の運用者によって適宜設定可能な可変値であってもよい。ただし、閾値Ｖ２は、閾値Ｖ１以下とする。なお、閾値Ｖ２と閾値Ｖ１が等しいとき、評価情報受付部１０６は、提供部１０４に登録情報を提供させた利用者端末装置の全部から評価情報を受け付け可能に制御される。
【００３８】
上述した情報提供装置１００に含まれる構成要素の全部または一部は、ハードウェアで実現されてもよいし、あるいは、情報提供装置１００に処理を実行させるプログラム（またはプログラムコード）で実現されてもよい。
【００３９】
情報提供装置１００に内包される構成がプログラムによって実施される場合、当該プログラムは情報提供装置１００（コンピュータ）が読み出し可能な記憶媒体（図示せず）に格納される。そして、当該プログラムは、異なる複数の固有識別情報のうち第１の固有識別情報と第２の固有識別情報との間の関係性を示す関係情報によって、前記第１の固有識別情報と前記第２の固有識別情報とを関連付けて固有識別情報記憶部１０２に記憶させる関係情報登録処理を情報提供装置１００に実行させる。さらに、当該プログラムは、利用者端末装置から登録情報を受け付ける登録情報受付処理を情報提供装置１００に実行させる。さらに、当該プログラムは、登録情報受付処理で受け付けられた登録情報を送信した送信元に関する固有識別情報を取得し、取得した固有識別情報と当該登録情報とを関連付けて登録し、登録情報記憶部１０１に記憶させる登録情報登録処理を情報提供装置１００に実行させる。さらに、当該プログラムは、登録情報記憶部１０１に記憶された登録情報の一部または全部を、利用者端末装置のいずれかに提供する提供処理を情報提供装置１００に実行させる。さらに、当該プログラムは、提供処理で登録情報を提供された利用者端末装置から、当該登録情報への評価を示す評価情報を受け付ける評価情報受付処理を情報提供装置１００に実行させる。さらに、当該プログラムは、評価情報受付処理で評価情報を受け付ける毎に、当該評価情報に評価を示される登録情報に関連付けた固有識別情報を登録情報記憶部１０１から取得し、取得した固有識別情報と、当該評価情報を送信した送信元に関する固有識別情報との関係性を示す関係情報を固有識別情報記憶部１０２から取得し、取得した関係情報を、受け付けた評価情報に基づいて変更し、変更した関係情報を変更前の関係情報に代えて固有識別情報記憶部１０２に記憶させる関係情報変更処理を情報提供装置１００に実行させる。さらに、当該プログラムは、固有識別情報記憶部１０２に記憶された関係情報に基づいて提供処理を実行するか否かを判定する第１関係判定処理、または固有識別情報記憶部１０２に記憶された関係情報に基づいて評価情報受付処理を実行するか否かを判定する第２関係判定処理、の少なくとも一方を情報提供装置１００に実行させる。
【００４０】
図４は、本実施形態の固有識別情報記憶部１０２に固有識別情報を登録する処理のフローチャートである。まず、情報提供装置１００は、利用者端末装置から固有識別情報を受け付ける（ステップＳ１）。
【００４１】
次に、情報提供装置１００は、ステップＳ１で新たに受け付けられた固有識別情報が、異なる複数の固有識別情報を記憶する固有識別情報記憶部１０２に予め記憶された固有識別情報の全部と一致しないとき（ステップＳ２のＮＯ）、予め記憶された固有識別情報の各々と、新たに受け付けられた固有識別情報との間に互いの関係性を示す関係情報を生成し、生成した関係情報に関係性を示される二つの固有識別情報を当該関係情報によって関連付けて固有識別情報記憶部１０２に記憶させ（ステップＳ３）、固有識別情報の登録は完了する。
【００４２】
あるいは、情報提供装置１００は、ステップＳ１で新たに受け付けられた固有識別情報が、固有識別情報記憶部１０２に予め記憶された固有識別情報のいずれかと一致するとき（ステップＳ２のＹＥＳ）、受け付けた固有識別情報は登録済みであるため、ステップＳ３は行わずに終了となる。
【００４３】
図５は、本実施形態の情報提供システム１０００における情報提供方法を示すフローチャートである。まず、情報提供装置１００は、図１に図示される利用者端末装置から新たに登録情報を受け付けると（ステップＴ１のＹＥＳ）、受け付けた登録情報の受付処理を行う（ステップＴ２）。次に、ステップＴ２で受け付けられた登録情報を送信した送信元に関する固有識別情報を取得し、取得した固有識別情報と当該登録情報とを関連付けて登録し、登録情報記憶部１０１に記憶させる（ステップＴ３）
【００４４】
そして、情報提供装置１００は、登録情報記憶部１０１に記憶された登録情報の一部または全部を、利用者端末装置のいずれかに提供する（ステップＴ５）。より詳細には、情報提供装置１００は、ステップＴ３で取得した固有識別情報（登録情報を送信した利用者端末装置の固有識別情報）に関連付けられ、かつ閾値Ｖ１未満の関係情報によって関連付けられている固有識別情報が固有識別情報記憶部１０２に存在するとき（ステップＴ４のＹＥＳ）、ステップＴ５では、当該固有識別情報に対応する利用者端末装置へ、ステップＴ２で登録した登録情報を提供する。すなわち、ステップＴ４の判定が本発明の第１関係判定ステップである。
【００４５】
また、情報提供装置１００は、ステップＴ５で登録情報を提供された利用者端末装置から、当該登録情報への評価を示す評価情報を受け付ける（ステップＴ８）。より詳細には、情報提供装置１００は、ステップＴ５で登録情報を提供させた利用者端末装置の固有識別情報のうち、閾値Ｖ２未満の関係情報によって関連付けられている固有識別情報が固有識別情報記憶部１０２に存在し（ステップＴ６のＹＥＳ）、かつ固有識別情報に対応する利用者端末装置から評価情報を受け付けたとき（ステップＴ７のＹＥＳ）、ステップＴ８では、当該評価情報を受け付ける処理行う。すなわち、ステップＴ６の判定が本発明の第２関係判定ステップである。
【００４６】
さらに、情報提供装置１００は、ステップＴ８で評価情報を受け付ける毎に、当該評価情報に評価を示される登録情報に関連付けた固有識別情報を登録情報記憶部１０１から取得し、取得した固有識別情報と、当該評価情報を送信した送信元に関する固有識別情報との関係性を示す関係情報を固有識別情報記憶部１０２から取得し、取得した関係情報を、受け付けた評価情報に基づいて変更し、変更した関係情報を変更前の関係情報に代えて固有識別情報記憶部１０２に記憶させる（ステップＴ９）。より詳細には、ステップＴ９では、ステップＴ８で評価情報を受け付ける毎に、取得した関係情報の値を小さく（関係情報を強く）する。
【００４７】
情報提供装置１００が新たな登録情報を受け付けないとき（ステップＴ１のＮＯ）、ステップＴ４の判定条件を満たさないとき（ステップＴ４のＮＯ）、ステップＴ６の判定条件を満たさないとき（ステップＴ６のＮＯ）、情報提供装置１００が利用者端末装置から評価情報を受け付けないとき（ステップＴ７のＮＯ）、このフローチャートを終了してもよい（ステップＴ１０のＹＥＳ）。ただし、終了しないとき（ステップＴ１０のＮＯ）、新たな登録情報を受け付けるまで、情報提供装置１００は待機状態となる。
【００４８】
ここで、本実施形態の効果について説明する。本実施形態の情報提供システム１０００は、登録情報を評価される毎に変更される利用者または利用者端末装置間の関係情報を記憶し、記憶された最新の関係情報に基づいて、登録情報の提供または登録情報への評価の少なくとも一方を制御する。これにより、第１の利用者端末装置が登録した登録情報への第２の利用者端末装置の過去の評価によって、第１の利用者端末装置が登録した登録情報を第２の利用者端末装置に提供するか否か、または当該登録情報への評価を第２の利用者端末装置から受け付けるか否かを制御できる。従って、評価を積極的に行う利用者が扱う利用者端末装置と、評価に消極的な利用者が扱う利用者端末装置とを区別して登録情報を提供したり、評価情報を受け付けたりすることができる。
【００４９】
また、本実施形態は、登録情報への評価の受け付けによって利用者端末装置間の関係性を変更する。すなわち、登録情報の登録者を公開しなければ、評価者の恣意的な判断が関係性の変更に反映されないので、登録者と評価者の悪意の結託を防ぐことができる。
【００５０】
〔第２の実施形態〕
図６は、本発明の第２の実施形態に係る情報提供システム１０００の構成図である。情報提供システム１０００は、利用者端末装置６００を備える。また、利用者端末装置６００と通信可能な情報提供装置１００を備える。また、情報提供装置１００は、第１の実施形態と同様に登録情報記憶部１０１、固有識別情報記憶部１０２、制御部１０３、提供部１０４、関係情報変更部１０５、評価情報受付部１０６、関係情報登録部１０７、固有識別情報受付部１０８、登録情報登録部１０９、登録情報受付部１１０を含む。さらに、情報提供装置１００は、参照要求受付部１１１、固有識別情報付加部１１２、統計値算出部１１３および比較部１１４を含む。以下、第１の実施形態とは異なる本実施形態の特徴を中心に説明する。
【００５１】
利用者端末装置６００は、第１の実施形態の利用者端末装置２００、利用者端末装置３００または利用者端末装置４００と同等である。
【００５２】
本実施形態のネットワーク５００はインターネットであって、情報提供装置１００はウェブサーバである。情報提供装置１００は、インターネット上にウェブサイトを提供し、当該ウェブサイトにログインした利用者に対して登録情報記憶部１０１に記憶された登録情報を提供する。当該ウェブサイトにログインするために、利用者はユーザＩＤまたはパスワードの少なくとも一方を利用者端末装置６００で入力する。そして、入力されたユーザＩＤまたはパスワードは情報提供装置１００の固有識別情報受付部１０８で受け付けられ、その後、利用者端末装置６００と情報提供装置１００との間でログイン処理を実行し、セッションを確立させる。なお、上記ログイン処理は既知の技術のいずれを利用して実現してもよい。
【００５３】
本実施形態の評価情報は二種類であって、一方は登録情報への肯定を示す肯定情報、他方は登録情報への否定を示す否定情報である。なお、肯定情報および否定情報ともに登録した利用者のコメント等の種々の情報を含んでも構わない。
【００５４】
本実施形態の関係情報は、利用者端末装置間の関係性を数値の大小で示し、本実施形態においては関係情報の値が大きいほど固有識別情報間の関係性は強く、関係情報の値が小さいほど固有識別情報間の関係性は弱いものとする。
【００５５】
本実施形態の制御部１０３は、提供部１０４によって提供される登録情報に関連付けられた固有識別情報と、当該固有識別情報とは異なる他の固有識別情報と、を関連付けた関係情報が第１の条件を満たすとき、提供部１０４に当該登録情報を当該利用者端末装置へ提供させることができる。ここで、第１の条件とは、具体的には関係情報が閾値Ｖ３を超えること（第１の関係度より強いこと）である。
【００５６】
また、制御部１０３は、提供部１０４によって登録情報を提供された提供先に関する固有識別情報を取得し、取得した固有識別情報と、提供させた当該登録情報に関連付けられた固有識別情報と、を関連付けた関係情報が第２の条件を満たすとき、当該登録情報への評価情報を当該利用者端末装置から受付可能に評価情報受付部１０６を制御することができる。ここで、第２の条件とは、具体的には、関係情報が閾値Ｖ３以上の閾値Ｖ４を超えること（第１の関係度以上の強さを示す第２の関係度より強いこと）である。
【００５７】
本実施形態の関係情報変更部１０５は、評価情報受付部１０６によって肯定情報を受け付ける毎に、当該肯定情報に評価される登録情報に関連付けた固有識別情報と、当該肯定情報を送信した送信元に関する固有識別情報との間の関係情報の値を大きくする（関係情報を強くする）。
【００５８】
また、関係情報変更部１０５は、評価情報受付部１０６によって否定情報を受け付ける毎に、当該否定情報に評価される登録情報に関連付けた固有識別情報と、当該否定情報を送信した送信元に関する固有識別情報との間の関係情報の値を小さくする（関係情報を弱くする）。
【００５９】
参照要求受付部１１１は、参照要求を利用者端末装置６００から受け付ける。ここで、参照要求とは、登録情報記憶部１０１に記憶された登録情報の一部または全部の参照を要求する情報である。例えば、参照要求は、入力されたキーワードと一致する「店名」を含む登録情報を要求してもよい。なお、ここで「一致する」とは完全一致であってもよいし、部分一致であってもよい。また、参照要求は、指定した「カテゴリ」を含む登録情報を要求してもよい。そして、参照要求は、利用者端末装置で指定した領域内の「位置」を含む登録情報を要求してもよい。そして、参照要求は、入力された電話番号と一致する「連絡先」を含む登録情報を要求してもよい。
【００６０】
固有識別情報付加部１１２は、評価情報受付部１０６によって受け付けられた評価情報を送信した送信元に関する固有識別情報を、当該評価情報に評価される登録情報に付加し登録情報記憶部１０１に記憶させる。
【００６１】
統計値算出部１１３は、提供部１０４によって提供される登録情報への評価を示す評価情報に関する統計値を算出する。より詳細には、統計値算出部１１３は、提供部１０４によって提供される登録情報への評価情報のうち、肯定情報の総数または否定情報の総数を統計値として算出する。
【００６２】
比較部１１４は、登録情報受付部１１０によって受け付けられた登録情報と、登録情報記憶部１０１に記憶された登録情報との比較判定を行う。比較部１１４によって実行される比較判定は、部分一致による判定であってもよいし、完全一致による判定であってもよい。例えば、比較部１１４は、判定対象の登録情報に含まれている情報の「店名」「位置」「連絡先」のいずれかが互いに一致する場合、一致と判定してもよい。
【００６３】
図７は、本実施形態の登録情報記憶部１０１に登録情報を登録する処理のフローチャートである。図７を用いて本実施形態の情報提供システム１０００の動作を詳細に説明する。
【００６４】
まず、固有識別情報受付部１０８は、利用者端末装置６００からユーザＩＤとパスワード（固有識別情報）を受け付ける（ステップＳ１０１）。仮にここでは、利用者端末装置６００からユーザＩＤとして「ＩＤ００１」を受け付けたものとして説明する。
【００６５】
次に、固有識別情報受付部１０８は、ステップＳ１０１で新たに受け付けられたユーザＩＤ「ＩＤ００１」と、固有識別情報記憶部１０２に予め記憶されたユーザＩＤとを比較する。このとき、図８に示すデータテーブルが固有識別情報記憶部１０２に記憶されているものとする。図８は、本実施形態の固有識別情報記憶部１０２に記憶されるデータテーブルの一例であって、仮に三人の利用者のユーザＩＤが登録されているものとする。それぞれＩＤ００１、ＩＤ００２およびＩＤ００３と表記される。図８において、最も関係性の強い関係情報はＩＤ００１−ＩＤ００２間の関係情報であり、最も関係性の弱い関係情報はＩＤ００２−ＩＤ００３間の関係情報である。
【００６６】
ここでは、ステップＳ１０１で新たに受け付けられた固有識別情報が、固有識別情報記憶部１０２に予め記憶された固有識別情報の一部と一致する（ステップＳ１０２のＹＥＳ）ので、固有識別情報受付部１０８はそのままログイン処理を実行する（ステップＳ１０４）。
【００６７】
なお、ステップＳ１０１で新たに受け付けられたユーザＩＤが、固有識別情報記憶部１０２に予め記憶されたユーザＩＤの全部と一致しないとき（ステップＳ１０２のＮＯ）は、第１の実施形態で説明したように、関係情報登録部１０７は関係情報の登録処理を実行し（ステップＳ１０３）、その後、固有識別情報受付部１０８がステップＳ１０４を実行する。
【００６８】
続いて、登録情報受付部１１０は、利用者端末装置６００から新たに登録情報を受け付けると（ステップＳ１０５のＹＥＳ）、受け付けた登録情報の受付処理を行う（ステップＳ１０６）。
【００６９】
さらに、比較部１１４は、ステップＳ１０６で受け付けられた登録情報と、登録情報記憶部１０１に記憶された登録情報との比較判定を行う（ステップＳ１０７）。比較部１１４による比較判定の結果が一致したとき（ステップＳ１０８のＹＥＳ）、固有識別情報付加部１１２は、一致した登録情報に、ステップＳ１０４でログイン処理に用いたユーザＩＤ（登録情報を送信した送信元に関する固有識別情報）を付加し登録情報記憶部１０１に記憶させる（ステップＳ１０９）。このとき、ステップＳ１０７の比較判定で一致した登録情報は、肯定情報と同等に扱われる。
【００７０】
また、ステップＳ１０７の比較判定の結果が一致しないとき（ステップＳ１０８のＮＯ）、登録情報登録部１０９は、ステップＳ１０６で受け付けられた登録情報を送信した利用者端末装置６００がログイン処理（ステップＳ１０４）で用いたユーザＩＤを取得し、取得したユーザＩＤと当該登録情報とを関連付けて登録し、登録情報記憶部１０１に記憶させる（ステップＳ１１０）
【００７１】
図９は、本実施形態の登録情報記憶部１０１に記憶されるデータテーブルの一例である。登録情報には、「店名」「カテゴリ」「位置」「連絡先」が含まれる。また、このデータテーブルには、それぞれの登録情報を登録した利用者のユーザＩＤを格納する「登録者ＩＤ」の欄と、それぞれの登録情報へ肯定情報を登録した利用者のユーザＩＤを格納する「肯定者ＩＤ」の欄と、それぞれの登録情報へ否定情報を登録した利用者のユーザＩＤを格納する「否定者ＩＤ」の欄とが設けられている。上述のステップＳ１０５〜ステップＳ１１０の処理で登録された登録情報は、このデータテーブルの上段に示す登録情報とする。この時点で、当該登録情報への評価情報を受け付けていないので、当該登録情報の「肯定者ＩＤ」「否定者ＩＤ」の欄は空欄である。
【００７２】
情報提供装置１００は、利用者端末装置６００から新たに登録情報を受け付けない間（ステップＳ１０５のＮＯ）、あるいはステップＳ１０９またはステップＳ１１０を終えると待機状態となる。情報提供装置１００が待機状態であるときに、利用者端末装置６００からログアウトの要求を受け付けると（ステップＳ１１１のＹＥＳ）、利用者端末装置６００との間のセッションを断ち、ログアウト処理を実行する（ステップＳ１１２）。
【００７３】
なお、情報提供装置１００が待機状態であるとき、利用者端末装置６００からログアウトの要求を受け付ける前に（ステップＳ１１１のＮＯ）、利用者端末装置６００から登録情報を受け付けるとき（ステップＳ１０５のＹＥＳ）、再びステップＳ１０６以降の処理を実行してもよい。
【００７４】
図１０は、本実施形態の情報提供システム１０００における情報提供方法を示すフローチャートである。情報提供装置１００が、利用者端末装置６００からユーザＩＤとパスワードを受け付ける（ステップＴ１０１）。仮にここでは、利用者端末装置６００からユーザＩＤとして「ＩＤ００３」を受け付けたものとして説明する。
【００７５】
ステップＴ１０２〜ステップＴ１０４についは、図７のステップＳ１０２〜ステップＳ１０４の処理と同様なので、ここでの説明は割愛する。
【００７６】
そして、参照要求受付部１１１は、登録情報記憶部１０１に記憶された登録情報の一部または全部を要求する参照要求を、利用者端末装置６００から受け付けると（ステップＴ１０５のＹＥＳ）、参照要求の受付処理を実行する（ステップＴ１０６）。
【００７７】
統計値算出部１１３は、ステップＴ１０６で受け付けた参照要求が要求する（ステップＴ１１０で提供する）登録情報への肯定情報の総数または否定情報の総数（評価情報に関する統計値）を算出する（ステップＴ１０７）。
【００７８】
制御部１０３は、ステップＴ１０７で算出された統計値に応じて第１の条件を決定する（ステップＴ１０８）。より詳細には、制御部１０３は、算出された肯定情報の総数が大きくなるほど閾値Ｖ３の値を小さくし、算出された否定情報の総数が大きくなるほど閾値Ｖ３の値を大きくする。また、制御部１０３は、算出された肯定情報の総数が大きくなるほど閾値Ｖ４の値を小さくし、算出された否定情報の総数が大きくなるほど閾値Ｖ４の値を大きくする。ただし、閾値Ｖ４は閾値Ｖ３以上の値とする。
【００７９】
続いて、制御部１０３は、ステップＴ１０６で受け付けられた参照要求を送信した利用者端末装置６００に関するユーザＩＤを取得し、取得したユーザＩＤと、当該参照要求が要求する（ステップＴ１１０で提供される）登録情報に関連付けられたユーザＩＤのいずれかと、を関連付けた関係情報が第１の条件を満たすか否かを判定する（ステップＴ１０９）。具体的には、制御部１０３は、ステップＴ１０４でログイン処理に用いたユーザＩＤ「ＩＤ００３」を取得し、取得したユーザＩＤと、ステップＴ１０６で受け付けた参照要求が要求する登録情報の「登録者ＩＤ」「肯定者ＩＤ」または「否定者ＩＤ」の欄に格納されたユーザＩＤと、を関連付けた関係情報が閾値Ｖ３を超えるか否かを判定する。このステップＴ１０９の判定が本発明の第１関係判定ステップである。
【００８０】
そして、制御部１０３は、ステップＴ１０９で閾値Ｖ３を超えると判定された関係情報によって「ＩＤ００３」と関係付けられるユーザＩＤと関連付けられた登録情報を、提供部１０４から利用者端末装置６００へ提供させる（ステップＴ１１０）。
【００８１】
また、制御部１０３は、利用者端末装置６００から評価情報を受け付けると（ステップＴ１１１のＹＥＳ）、取得したユーザＩＤ「ＩＤ００３」（ステップＴ１１０で提供された提供先に関する固有識別情報）と、提供させた登録情報に関連付けられたユーザＩＤのいずれかと、を関連付けた関係情報が閾値Ｖ４を超える（第２の条件を満たす）とき（ステップＴ１１２のＹＥＳ）、かつ提供させた登録情報の「登録者ＩＤ」のユーザＩＤと、取得したユーザＩＤとが一致しないとき（ステップＴ１１３のＮＯ）、当該登録情報への評価情報を利用者端末装置６００から受付可能に評価情報受付部１０６を制御し、評価情報受付部１０６は当該評価情報を受け付ける処理を行う（ステップＴ１１４）。このステップＴ１１２の判定が本発明の第２関係判定ステップである。
【００８２】
ステップＴ１０６からステップＴ１１４までの処理を、より具体的に説明する。例えば、ステップＴ１０６で受け付けた参照要求が図９に図示される登録情報の全部を要求しているものとする。ステップＴ１０７では、それぞれの登録情報の「肯定者ＩＤ」と「否定者ＩＤ」の数から、肯定情報の総数または否定情報の総数を算出する。この結果、次のような結果となる。
・上段の登録情報：肯定情報−０個、否定情報−０個
・中段の登録情報：肯定情報−１個、否定情報−１個
・下段の登録情報：肯定情報−０個、否定情報−１個
【００８３】
続いて、ステップＴ１０８では、それぞれの登録情報における閾値Ｖ３と閾値Ｖ４とを、上記の算出結果に応じて以下のように決定する。
・上段の登録情報：閾値Ｖ３−１０、閾値Ｖ４−１２
・中段の登録情報：閾値Ｖ３−６、閾値Ｖ４−８
・下段の登録情報：閾値Ｖ３−８、閾値Ｖ４−１０
【００８４】
そして、ステップＴ１０９では、上段の登録情報に関して「ＩＤ００３」と「ＩＤ００１」の間の関係情報が閾値Ｖ３を超えるので、上段の登録情報は第１の条件を満たすと判定する。また、中段の登録情報に関して、「ＩＤ００３」と「ＩＤ００２」の間の関係情報が閾値Ｖ３以下なので、中段の登録情報は第１の条件を満たさないと判定する。さらに、下段の登録情報に関して「ＩＤ００３」と「ＩＤ００１」の間の関係情報が閾値Ｖ３を超えるので、下段の登録情報は第１の条件を満たすと判定する。従って、ステップＴ１１０では、上段の登録情報と下段の登録情報を利用者端末装置６００に提供する。
【００８５】
仮に利用者端末装置６００で、上段の登録情報への評価情報と下段の登録情報への評価情報を生成し送信したとする。このとき、ステップＴ１１１では、上段の登録情報への評価情報と下段の登録情報への評価情報を受け付ける。
【００８６】
そして、ステップＴ１１２の判定では、上段の登録情報への評価情報と下段の登録情報への評価情報ともに第２の条件を満たすと判定される。しかし、ステップＴ１１３の判定では、下段の登録情報への評価情報の「登録者ＩＤ」と取得したユーザＩＤがともに「ＩＤ００３」であるため、下段の登録情報への評価情報に関しては判定条件を満たさない。従って、ステップＴ１１４では上段の登録情報への評価情報のみが受け付けられる。
【００８７】
ステップＴ１１４で評価情報を受け付けると、固有識別情報付加部１１２は、ステップＴ１０４でログイン処理に用いたユーザＩＤ「ＩＤ００３」を、当該評価情報に評価される登録情報に付加し登録情報記憶部１０１に記憶させる（ステップＴ１１５）。具体的には、肯定情報を受け付けた場合、上段の登録情報の「肯定者ＩＤ」の欄に「ＩＤ００３」を追加し、否定情報を受け付けた場合、上段の登録情報の「否定者ＩＤ」の欄に「ＩＤ００３」を追加する。
【００８８】
そして、ステップＴ１１４で肯定情報を受け付けたとき、関係情報変更部１０５は、登録情報記憶部１０１から上段の登録情報の「登録者ＩＤ」に格納される「ＩＤ００１」を取得し、ログイン処理に用いたユーザＩＤ「ＩＤ００３」と取得した「ＩＤ００１」との関係性を示す関係情報を固有識別情報記憶部１０２から取得し、取得した関係情報を大きく（強く）し、変更前の関係情報に代えて固有識別情報記憶部１０２に記憶させる（ステップＴ１１６）。また、ステップＴ１１４で否定情報を受け付けたとき、ステップＴ１１６で、関係情報変更部１０５は、登録情報記憶部１０１から上段の登録情報の「登録者ＩＤ」に格納される「ＩＤ００１」を取得し、ログイン処理に用いたユーザＩＤ「ＩＤ００３」と取得した「ＩＤ００１」との関係性を示す関係情報を固有識別情報記憶部１０２から取得し、取得した関係情報を小さく（弱く）し、変更前の関係情報に代えて固有識別情報記憶部１０２に記憶させる。
【００８９】
以下のような条件において、情報提供装置１００は待機状態となる。情報提供装置１００が待機状態であるときに、利用者端末装置６００からログアウトの要求を受け付けると（ステップＴ１１７のＹＥＳ）、情報提供装置１００は利用者端末装置６００との間のセッションを断ち、ログアウト処理を実行する（ステップＴ１１８）。
・ 利用者端末装置６００から参照要求を受け付けないとき（ステップＴ１０５のＮＯ）
・ 利用者端末装置６００から評価情報を受け付けないとき（ステップＴ１１１のＮＯ）
・ ステップＴ１０９の判定条件（第１の条件）を満たさないとき（ステップＴ１０９のＮＯ）
・ ステップＴ１１２の判定条件（第２の条件）を満たさないとき（ステップＴ１１２のＮＯ）
・ 評価情報に評価される登録情報の「登録者ＩＤ」と制御部１０３が取得したユーザＩＤとが一致するとき（ステップＴ１１３のＹＥＳ）
【００９０】
なお、情報提供装置１００が待機状態であるとき、利用者端末装置６００からログアウトの要求を受け付ける前に（ステップＴ１１７のＮＯ）、利用者端末装置６００から参照要求を受け付けるとき（ステップＴ１０５のＹＥＳ）、再びステップＴ１０６以降の処理を実行してもよい。
【００９１】
ここで、本実施形態の効果について説明する。本実施形態は、登録情報の提供機能を制御するときに用いる第１の条件を、提供される登録情報への評価情報に関する統計値に応じて決定するので、当該登録情報への評価の累積によって提供する範囲を変えることができる。本実施形態においては、肯定の評価が多い登録情報ほど多くの利用者に提供し、否定の評価が多い登録情報ほど利用者への提供を抑制することができる。
【００９２】
また、本実施形態では、登録情報を登録した利用者のユーザＩＤと、評価情報を登録した利用者のユーザＩＤとの関係情報を変更する際に、登録された評価が肯定のとき当該関係情報が示す関係性を強くし、登録された評価が否定のとき当該関係情報が示す関係性を弱くする。これによって、嗜好が一致する利用者同士は、互いの登録した登録情報の提供を受けやすくなる。また、嗜好が一致しない利用者が登録した登録情報の提供は受けにくくなる。
【００９３】
さらに、本実施形態では、上記の効果を組み合わせることによって、仮に少数の利用者が結託しても、登録情報が広く公開されることが困難となる。よって、提供される登録情報の信頼性が向上する。
【００９４】
さらに、本実施形態は、固有識別情報としてログイン処理に使用するユーザＩＤを用い、複数のユーザＩＤを関係情報によって関係付け、当該関係情報に基づいて登録情報の提供および登録情報への評価を制御する。これによって、情報提供装置１００と通信可能な利用者端末装置は一つであっても構わない。当然ながら、本実施形態の情報提供装置１００も複数の利用者端末装置と通信可能であってもよい。
【００９５】
さらに、本実施形態は、制御部１０３等の処理で、ログイン処理で用いたユーザＩＤを用いるので、利用者端末装置６００からユーザＩＤを送信する機会が一度で済む。
【００９６】
さらに、本実施形態では、評価情報を登録した利用者のユーザＩＤも登録情報に付加して記憶し、制御部１０３の判定に用いるので、登録情報を登録した利用者との関係性が強くなくても、当該登録情報への評価情報を登録した利用者との関係性が強ければ、当該登録情報が提供される。これにより、情報提供システム１０００は、評価情報をより速やかに収集することができる。
【００９７】
また、本実施形態は、登録情報への評価が収集されるほど、飲食店に関する嗜好が一致する利用者の組み合わせ、または嗜好が一致しない利用者の組み合わせが明らかになる。
【００９８】
以上、図面を参照して本発明の実施形態について述べたが、これらは本発明の例示であり、上記以外の様々な構成を採用することもできる。
【００９９】
上記実施形態で説明した本発明は、種々の情報提供システムに組み込むことができる。例えば、地図情報を提供するシステムと組み合わせて、地図上にお薦めの飲食店を表示させる等ができてもよい。
【０１００】
第１の実施形態は三つの利用者端末装置を備え、第２の実施形態は単一の利用者端末装置を備えるものとして説明したが、本発明において利用者端末装置の数はいくつであってもよい。
【０１０１】
上記実施形態において、関係情報の強さを数値の大小によって表すことを説明したが、他の方法を用いてもよい。例えば、関係情報の強さを「強」「中」「弱」等の数値を用いない多段階の情報に分類して表してもよい。
【０１０２】
第２の実施形態において、評価情報は肯定情報と否定情報との二種類である旨を説明したが、これに限らなくてもよい。例えば、評価情報を数値で表してもよいし、多段階評価（５段階評価や１０段階評価等）で表してもよい。
【０１０３】
第２の実施形態において、肯定情報を受け付ける毎に対象の関係情報を強くし、否定情報を受け付ける毎に対象の関係情報を弱くする旨を説明したが、これに限らなくてもよい。例えば、関係情報変更部１０５は、評価情報受付部１０６によって評価情報を受け付ける毎に、当該評価情報に評価される登録情報に関連付けた固有識別情報と、当該評価情報を送信した送信元に関する固有識別情報との間の関係情報を強くしてもよい。なお、このとき、第１の条件は、関係情報が所定の関係性（第３の関係度）より強いことであってもよく、第２の条件は、関係情報が上記所定の関係性以上の強さを示す関係性（第４の関係度）より強いことであってもよい。
【０１０４】
第２の実施形態において、提供される登録情報への肯定情報の総数または否定情報の総数を統計値として算出する旨を説明したが、これに限らなくてもよい。例えば、当該登録情報への評価情報の総数を統計値として算出してもよい。さらに、評価情報が数値である場合、統計値算出部１１３は、参照要求が要求する登録情報に付加された評価情報の総和または当該評価情報の平均値を統計値として算出してもよい。また、上述した事例のうち複数を組み合わせて用いてもよい。
【０１０５】
統計値算出部１１３が、提供部１０４によって提供される登録情報への評価情報の総数を統計値として算出する場合、制御部１０３は、算出された評価情報の総数が大きくなるほど上記第３の関係度を弱くしてもよい。
【０１０６】
上記実施形態では情報提供装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１０７】
また、上記実施形態の説明には、複数のフローチャートを用いており、それぞれに複数のステップを順番に記載してあるが、その記載の順番は、本発明の情報提供方法のステップを実行する順番を限定するものではない。このため、本発明の情報提供方法を実行するときには、その複数のステップの順番は内容的に支障しない範囲で変更することができる。
【０１０８】
なお、当然ながら、上述した実施の形態および複数の変形例は、その内容が相反しない範囲で組み合わせることができる。また、上述した実施の形態および変形例では、各構成要素の機能などを具体的に説明したが、その機能などは本願発明を満足する範囲で各種に変更することができる。
【符号の説明】
【０１０９】
１０００  情報提供システム
１００    情報提供装置
１０１    登録情報記憶部
１０２    固有識別情報記憶部
１０３    制御部
１０４    提供部
１０５    関係情報変更部
１０６    評価情報受付部
１０７    関係情報登録部
１０８    固有識別情報受付部
１０９    登録情報登録部
１１０    登録情報受付部
１１１    参照要求受付部
１１２    固有識別情報付加部
１１３    統計値算出部
１１４    比較部
２００    利用者端末装置
３００    利用者端末装置
４００    利用者端末装置
５００    ネットワーク
６００    利用者端末装置
【図１】
2011028620.tif 000003
【図２】
2011028620.tif 000004
【図３】
2011028620.tif 000005
【図４】
2011028620.tif 000006
【図５】
2011028620.tif 000007
【図６】
2011028620.tif 000008
【図７】
2011028620.tif 000009
【図８】
2011028620.tif 000010
【図９】
2011028620.tif 000011
【図１０】
2011028620.tif 000012